(57)【特許請求の範囲】
【請求項１】
液晶表示パネルと、前記液晶表示パネルの表示範囲を開口部から露出させた状態で該液晶表示パネルを収容する筐体と、前記筐体の前記開口部を塞ぐように該開口部の周辺に貼り付けられる透明のスクリーンとを有する液晶表示装置を搭載した電子機器において、
前記筐体は、樹脂製であり、前記開口部の周辺に孔部を備えており、さらに、前記スクリーンに接する面から該孔部の内側面を経て筐体内側面にまで延びる、導電性の第１の導電層を備えており、
前記スクリーンは、前記筐体に接する面に、前記第１の導電層に接する導電性の第２の導電層を備えていることを特徴とする液晶表示装置を搭載した電子機器。
【請求項２】
前記スクリーンは、前記筐体に対して、前記第１の導電層と前記第２の導電層との接触を確保した状態で、両面テープまたは接着剤によって貼り付けられている請求項１に記載の液晶表示装置を搭載した電子機器。
【請求項３】
前記筐体の前記孔部の周囲は、僅かに突出しており、前記両面テープまたは前記接着剤は、前記孔部の周囲の突出高さと同じ厚さである請求項２に記載の液晶表示装置を搭載した電子機器。
【請求項４】
前記第１の導電層は、金属を含有する導電性塗料、導電性インク、またはメッキ層からなる請求項１乃至３のいずれかに記載の液晶表示装置を搭載した電子機器。
【請求項５】
前記第２の導電層は、金属を含有する導電性塗料、導電性インク、またはメッキ層からなる請求項１乃至４のいずれかに記載の液晶表示装置を搭載した電子機器。
【請求項６】
前記第２の導電層は、前記液晶表示パネルの表示範囲外にのみ形成されており、金属を含有する導電性塗料、導電性インク、またはメッキ層からなるミラー膜である請求項１乃至５のいずれかに記載の液晶表示装置を搭載した電子機器。
【請求項７】
前記第２の導電層は、金属を含有する導電性塗料、導電性インク、またはメッキ層からなるハーフミラー膜である請求項１乃至５のいずれかに記載の液晶表示装置を搭載した電子機器。
【発明の詳細な説明】
【０００１】
【発明の属する技術分野】
本発明は、液晶表示装置を搭載した携帯電話機等の電子機器に関し、特に、静電気による液晶表示装置の誤動作を防止できる電子機器に関する。
【０００２】
【従来の技術】
小型、軽量、安価、低消費電力等の利点を備えている液晶表示装置は、携帯電話機等、数多くの電子機器に搭載されている。
【０００３】
一方、携帯電話機等の電子機器の筐体には、小型、軽量、安価であることが要求されており、筐体を樹脂製とすることが多い。
【０００４】
【発明が解決しようとする課題】
筐体外部から液晶表示装置周辺に静電気が発生した場合に、液晶表示装置の誤動作または破損につながる虞がある。
【０００５】
従来は、筐体の強度確保のために筐体にマグネシウムなどの金属材料を使用していたため、静電気が接地に逃され、液晶表示装置に静電気が発生する問題はなかったが、近年、環境への配慮、量産性の問題から、金属材料を含まず殆ど樹脂によって筐体を成形するケースが増えている。また、近年、静止画や動画等のコンテンツを液晶表示装置で表示させるがために表示範囲の大型化が進み、静電気の影響をより受け易くなる傾向にある。
【０００６】
尚、特開昭６０−７０４７８号公報、特開昭６３−５６６２５号公報、および特開平７−１２０７７０号公報等には、液晶表示装置の透明基板や偏光板に導電部材を設けた構成が開示されているが、これらの構造では、あくまでも液晶表示装置内に導電構成を有しているのであって、その液晶表示装置を搭載する電子機器全体の筐体における静電気の発生ならびにその対策については考慮されていない。
【０００７】
それ故、本発明の課題は、樹脂製の筐体を有することによって環境に配慮していると共に量産性に優れていることに加え、静電気による液晶表示装置の誤動作を防止できる電子機器を提供することである。
【０００８】
【課題を解決するための手段】
本発明によれば液晶表示パネルと、前記液晶表示パネルの表示範囲を開口部から露出させた状態で該液晶表示パネルを収容する筐体と、前記筐体の前記開口部を塞ぐように該開口部の周辺に貼り付けられる透明のスクリーンとを有する液晶表示装置を搭載した電子機器において、前記筐体は、樹脂製であり、前記開口部の周辺に孔部を備えており、さらに、前記スクリーンに接する面から該孔部の内側面を経て筐体内側面にまで延びる、導電性の第１の導電層を備えており、前記スクリーンは、前記筐体に接する面に、前記第１の導電層に接する導電性の第２の導電層を備えていることを特徴とする液晶表示装置を搭載した電子機器が得られる。
【０００９】
本発明によればまた、前記スクリーンは、前記筐体に対して、前記第１の導電層と前記第２の導電層との接触を確保した状態で、両面テープまたは接着剤によって貼り付けられている前記液晶表示装置を搭載した電子機器が得られる。
【００１０】
本発明によればさらに、前記筐体の前記孔部の周囲は、僅かに突出しており、前記両面テープまたは前記接着剤は、前記孔部の周囲の突出高さと同じ厚さである前記液晶表示装置を搭載した電子機器が得られる。
【００１１】
また、本発明によれば、前記第１の導電層は、金属を含有する導電性塗料、導電性インク、またはメッキ層からなる前記液晶表示装置を搭載した電子機器が得られる。
【００１２】
さらに、本発明によれば、前記第２の導電層は、金属を含有する導電性塗料、導電性インク、またはメッキ層からなる前記液晶表示装置を搭載した電子機器が得られる。
【００１３】
また、本発明によれば、前記第２の導電層は、前記液晶表示パネルの表示範囲外にのみ形成されており、金属を含有する導電性塗料、導電性インク、またはメッキ層からなるミラー膜である前記液晶表示装置を搭載した電子機器が得られる。
【００１４】
また、本発明によれば、前記第２の導電層は、金属を含有する導電性塗料、導電性インク、またはメッキ層からなるハーフミラー膜である前記液晶表示装置を搭載した電子機器が得られる。
【００１５】
【発明の実施の形態】
以下、図面を参照して、本発明の実施の形態による液晶表示装置を搭載した電子機器について説明する。
【００１６】
本発明の実施の形態による液晶表示装置を搭載した電子機器は、折り畳み式筐体を有する携帯電話機である。図１〜図４を参照して、本携帯電話機は、液晶表示パネルを含む液晶表示モジュール１０と、液晶表示モジュール１０の表示範囲を開口部である角孔部２２から露出させた状態で液晶表示モジュール１０を収容する筐体２０と、筐体２０の角孔部２２を塞ぐように角孔部２２の周辺の凹み部２３に貼り付けられる透明のスクリーン３０とを有している。尚、実際の携帯電話機としては、筐体２０である第１の内側ケースと図示しない第１の外側ケースとが組み合わされなる第１の筐体と、図示しない第２の内側および外側ケースが組み合わされてなる第２の筐体とを有するが、ここでは、本発明に関わる部分についてのみ説明する。
【００１７】
筐体２０は、樹脂製である。筐体２０はまた、角孔部２２の周辺の凹み部２３に２つの孔部２４を備えている。尚、孔部２４の数は、２個でなくともよい。
【００１８】
筐体２０はさらに、図３および図４に示すように、スクリーン３０に接する面から孔部２４の内側面を経て筐体２０内側面にまで延びる、導電性の第１の導電層２０ａを備えている。一方、スクリーン３０は、図３および図４に示すように、筐体２０に接する面に、第１の導電層２０ａに接する導電性の第２の導電層３０ａを備えている。第１および第２の導電層２０ａおよび３０ａが接触することによって、スクリーン３０および筐体２０両方に亘る導電層が形成されることになり、携帯電話機の外部からの静電気等が接地され、液晶モジュール１０の誤動作を防ぐことができる。
【００１９】
図３および図４に示すように、スクリーン３０は、筐体２０に対して、第１の導電層２０ａと第２の導電層３０ａとの接触を確保した状態で、両面テープ４０によって貼り付けられている。尚、スクリーン３０は、両面テープに代えて、接着剤によって貼り付けられてもよい。
【００２０】
また、筐体２０の孔部の周囲は、図３および図４に示すように、僅かに突出して突起部２５を形成している。そして、両面テープ４０は、孔部２４の周囲の突起部２５の突出高さと同じ厚さである（図４）。これにより、スクリーン３０が貼り付けられた際に、第１および第２の導電層２０ａおよび３０ａ間の適切な接触を保つことが可能である。
【００２１】
第１の導電層２０ａは、金属を含有する導電性塗料、導電性インク、またはメッキ層からなる。
【００２２】
第２の導電層３０ａも、金属を含有する導電性塗料、導電性インク、またはメッキ層からなるが、第２の導電層３０ａを液晶表示モジュール１０の表示範囲外にのみ加飾面として形成する場合には、金属を含有する導電性塗料、導電性インク、またはメッキ層からなるミラー膜とすることができる。あるいは、第２の導電層３０ａを液晶表示モジュール１０の表示範囲内にも形成する場合には、金属を含有する導電性塗料、導電性インク、またはメッキ層からなるハーフミラー膜とし、ユーザによる液晶表示モジュール１０視認を妨げないようにする。
【００２３】
孔部２４の周囲における第１の導電層２０ａの面積を変えることにより、必要に応じて接触抵抗を変更できる。
【００２４】
尚、本実施の形態では携帯電話機を例に挙げたが、本発明は、ノート型パーソナルコンピュータ、モニタディスプレイ装置、テレビジョン受像機、ゲーム機等、液晶表示装置を樹脂製の筐体内に搭載した全ての電子機器に適用可能である。
【００２５】
【発明の効果】
本発明による液晶表示装置を搭載した電子機器は、樹脂製の筐体を有することによって環境に配慮していると共に量産性に優れていることに加え、静電気による液晶表示装置の誤動作を防止できる。
【図面の簡単な説明】
【図１】本発明の実施の形態による液晶表示装置を搭載した電子機器の要部を示す分解斜視図である。
【図２】本発明の実施の形態による液晶表示装置を搭載した電子機器の要部を示す斜視図である。
【図３】本発明の実施の形態による液晶表示装置を搭載した電子機器の要部を説明するための断面図であり、各部品が組み合わされる前の状態を示す。
【図４】本発明の実施の形態による液晶表示装置を搭載した電子機器の要部を示す断面図である。
【符号の説明】
１０    液晶モジュール
２０    筐体
２０ａ  第１の導電層
２２    角孔部
２３    凹み部
２４    孔部
２５    突起部
３０    スクリーン
３０ａ  第２の導電層
４０    両面テープ
【図１】
0004061474.tif 000002
【図２】
0004061474.tif 000003
【図３】
0004061474.tif 000004
【図４】
0004061474.tif 000005